(57)【要約】【課題】宝石に所望の色付けを行いやすく、より装飾性を高めることのできる色付け宝飾品を提供する。【解決手段】宝石２２を収納する石座２１を適所に備えた宝飾品であって、前記石座に取り付けた宝石の上部に宝飾品の適所から装飾体２３を張り出させて前記宝石を抜け止めするとともに、前記装飾体の裏面に着色材２４を取り付けて、該着色剤の色合いが前記宝石に映し込まれるようにしたことを特徴とするものである。【選択図】  図１
2010012225.tif 000002
【特許請求の範囲】
【請求項１】
宝石を収納する石座を適所に備えた宝飾品であって、前記石座に取り付けた宝石の上部に宝飾品から装飾体を張り出させて前記宝石を抜け止めするとともに、前記装飾体の裏面に着色材を取り付けて、該着色剤の色合いが前記宝石に映し込まれるようにしたことを特徴とする色付け宝飾品。
【請求項２】
前記装飾体の裏面に取り付けた着色材が、所定の色合いを備えたカットされた小宝石からなることを特徴とする請求項１記載の色付け宝飾品。
【請求項３】
前記装飾体の裏面に取り付けた所定の色合いを備えたカットされた小宝石が、前記宝石の上面に形成した凹所に下端を係合して小宝石の色合いを宝石に映し込んでなることを特徴とする請求項２記載の色付け宝飾品。
【請求項４】
前記装飾体の裏面に取り付けた着色材が、所定の色合いを備えた所定形状の貴石からなることを特徴とする請求項１記載の色付け宝飾品。
【請求項５】
前記装飾体の裏面に取り付けた所定の色合いを備えた小宝石が、前記装飾体の裏面に爪止め等の適宜手段で取り付けられてなることを特徴とする請求項１記載の色付け宝飾品。
【発明の詳細な説明】
【技術分野】
【０００１】
この発明は例えば指輪、ペンダント、ブローチ、ネックレス、イヤリング、ブレスレット等の宝石を用いた宝飾品に関し、より詳細には石座に配した宝石より生じる色や輝きの変化に工夫を施した色付け宝飾品に関する。
【背景技術】
【０００２】
指輪、ペンダント、ブローチ、ネックレス、イヤリング、ブレスレット等の宝石を用いた宝飾品においては、貴金属製の石座に宝石（貴石や宝石の模造品を含む。）を配したものが一般的である。この場合、宝石は非常に高価であるため、従来カット方法に工夫を凝らしたり、石座（ベゼル）への装着方法に工夫を凝らすことにより小さな宝石を大きく見せる努力がなされてきた。
【０００３】
従来、宝石はその色や輝きを楽しむものであるため、カット方法や研磨技術によりその色や輝きを増す努力がなされてきた。  
さらに、宝石をより大きく見せるために、特開平１１−５６４２３号公報（特許文献１参照）には、装身具の本体部分の前面に凹状の窪み部を設けることにより反射面を構成し、この窪み部より小さな形状の宝石を、この窪み部の表面より間隙を保って窪み部前面に配した宝石入りの装身具が提案されている。
【０００４】
また特開平７−２８４４０６号公報（特許文献２参照）には、ブルー色系のサファイヤに設けた凹部に、カラーグレードの高くないダイアモンドのパビリオンの先端部分を密着状態で嵌め込み、２段重ねの状態で石留めした指輪が提案されている。
【先行技術文献】
【特許文献】
【０００５】
【特許文献１】特開平１１−５６４２３号公報
【特許文献２】特開平７−２８４４０６号公報
【発明の概要】
【発明が解決しようとする課題】
【０００６】
しかしながら、前者においては装身具の本体部分の前面に凹状の窪み部からなる反射面を設ける必要があるので装身具が大きくなりやすく、適用できる価格帯に制約があり、一方、後者においても、前面の宝石の背後に別の宝石をはめ込むものであるため、奥行きが長くなって装身具の形態に制約が発生しやすく、コスト的にも上昇しやすくなるという問題があった。
【０００７】
そこでこの発明は、装身具が大きくなりやすいために、適用できる価格帯に制約があったり、前面の宝石の背後に別の宝石をはめ込む都合上、奥行きが長くなって装身具の形態に制約が発生しやすく、かつコスト的にも上昇してしまうという問題がなく、宝石に所望の色付けを行いやすい上、より装飾性を高めることのできる色付け宝飾品を提供しようとするものである。
【課題を解決するための手段】
【０００８】
すなわちこの発明の色付け宝飾品は、宝石を収納する石座を適所に備えた宝飾品であって、前記石座に取り付けた宝石の上部に宝飾品から装飾体を張り出させて前記宝石を抜け止めするとともに、前記装飾体の裏面に着色材を取り付けて、該着色剤の色合いが前記宝石に映し込まれるようにしたことを特徴とするものである。
【０００９】
この発明の色付け宝飾品は、前記装飾体の裏面に取り付けた着色材が、所定の色合いを備えたカットされた小宝石からなることをも特徴とするものである。  
この発明の色付け宝飾品は、前記装飾体の裏面に取り付けた所定の色合いを備えたカットされた小宝石が、前記宝石の上面に形成した凹所に下端を係合して小宝石の色合いを宝石に映し込んでなることをも特徴とするものである。
【００１０】
この発明の色付け宝飾品は、前記装飾体の裏面に取り付けた着色材が、所定の色合いを備えた所定形状の貴石からなることをも特徴とするものである。  
この発明の色付け宝飾品は、前記装飾体の裏面に取り付けた所定の色合いを備えた小宝石が、前記装飾体の裏面に爪止め等の適宜手段で取り付けられてなることをも特徴とするものである。
【発明の効果】
【００１１】
この発明の色付け宝飾品は以上のように構成したので、次のような効果を奏する。  
１）宝石は通常と同じように前面からの反射により輝くほか、宝石の上面に設置した小宝石の色合いが宝石の表面から入射し、宝石に所定の色付けがなされた状態で前面から反射する。したがって、ダイヤモンドや人造ダイヤ、水晶のような透明な宝石であっても、非常にカラフルな宝石として表現することができるようになり、宝飾品としての付加価値を高めることができる。
【００１２】
２）宝石を収納する石座の上部に宝飾品から装飾体を張り出させてあるので、宝石自体の装飾性のみならず、この装飾体をも加味した装飾性を宝飾品に与えることができるので、宝飾品としての装飾性の意味合いにおいて、より複雑で多様な装飾を施すことができるようになった。
【図面の簡単な説明】
【００１３】
【図１】この発明の色付け宝飾品の１実施例を示す概略断面図である。
【図２】その平面図である。
【図３】この発明の色付け宝飾品の他の実施例を示す概略断面図である。
【図４】その平面図である。
【図５】この発明の色付け宝飾品のさらに別の実施例を示す概略断面図である。
【図６】その平面図である。
【発明を実施するための形態】
【００１４】
以下、この発明の色付け宝飾品の具体的な実施の形態を、添付した図面に基いて詳細に説明する。  
図中、図１はこの発明の色付け宝飾品の１実施例を示す概略断面図、図２はその平面図、図３はこの発明の色付け宝飾品の他の実施例を示す概略断面図、図４はその平面図、図５はこの発明の色付け宝飾品のさらに別の実施例を示す概略断面図、図６はその平面図である。
【００１５】
この発明の色付け宝飾品の一実施例を示す図１および図２においては、指輪について例示しているが、宝飾品の種類はこれに限らず、例えばペンダント、ブローチ、ネックレス、イヤリング、ブレスレット等であってもよいことは勿論である。
【００１６】
図において１１は、宝石２２を収納する石座２１をリング本体１２上の適所に備えた指輪である。この指輪１１は、前記石座２１にゆるめに収納した宝石２２の上部に指輪１１の適所から装飾体２３を張り出させることにより、前記宝石２２を石座２１から抜け止めするように構成してある。もちろん、前記張り出し部分は片持ち式に構成しても、橋架け状に構成してもよい。
【００１７】
そして、前記装飾体２３の裏面には着色材２４を取り付けることにより、該着色剤２４の色合いが前記宝石２２に映し込まれて、前記宝石２２に本来の色合いとは異なる色付けがなされ、より装飾性に優れた指輪となるのである。
【００１８】
前記装飾体２３の裏面に取り付けた着色材２４としては、所定の色合いを備えたカットされた小宝石２４−１とすることができる。この小宝石２４−１としては、ルビーやサファイヤ等の所望の色合いを備えたカラフルな宝石が望ましいが、これに限られることなく種々の宝石類を用いることができる。
【００１９】
また、前記宝石２２の上面に凹所２５を形成するとともに、この凹所２５に小宝石２４−１の下端を係合したので、抜け止めの機能のみならずより明確に小宝石２４−１の色合いを宝石２２に映し込むことができる。  
図において２６は、小宝石２４−１を固定するために装飾体２３の裏面に形成した保持枠である。
【００２０】
この発明の色付け宝飾品の他の実施例を示す図３および図４において、指輪１１は、宝石２２を収納する石座２１をリング本体１２上の適所に備え、かつ前記実施例と同様に、石座２１にゆるめに収納した宝石２２の上部に指輪１１の適所から装飾体２３を張り出させることにより、前記宝石２２を石座２１から抜け止めするように構成してある。
【００２１】
前記装飾体２３の裏面に取り付けた着色材２４としては、所定の色合いを備えた所定形状の貴石２４−２とすることができる。この所定形状の貴石２４−２としては、所望の色合いを備えたカラフルなもの、例えばオニキスやアメジスト、ガーネット、琥珀やサンゴ、トルコ石、ラピスラズリ等を用いてもよい。もちろん、ルビーやサファイヤ等の宝石であってもよいことはもちろんである。
【００２２】
この所定形状の貴石２４−２は接着剤のみならず、爪止め伏せ込み等の手段で装飾体２３に取り付けることができる。  
この発明の色付け宝飾品のさらに別の実施例を示す図５および図６において、指輪１１は、宝石２２を収納する石座２１をリング本体１２上の適所に備え、かつ前記各実施例と同様に、石座２１にゆるめに収納した宝石２２の上部に指輪１１の適所から装飾体２３を張り出させることにより、前記宝石２２を石座２１から抜け止めするように構成してある。
【００２３】
所定の色合いを備えたカットされた小宝石２４−３とすることができる。この小宝石２４−３は、前記装飾体２３の裏面に爪止め３１等の手段で取り付けることができる。  
このように、小宝石２４−３を前記装飾体２３の裏面に爪止め３１等の手段で取り付けておけば、予め装飾体２３に小宝石２４−３をセットした状態で、装飾体２３を指輪１１の上面に取り付けることができ、効率的にその取付作業を行うことができる。
【産業上の利用可能性】
【００２４】
この発明は指輪のみならず、ペンダント、ブローチ、ネックレス、イヤリング、ブレスレット等の宝石を用いた装身具に使用することができることはもちろん、それら以外の宝石を用いた各種宝飾品にも使用することができる。
【符号の説明】
【００２５】
１１…指輪、１２…リング本体、２１…石座、２２…宝石、２３…装飾体、２４…着色材、２４−１…小宝石、２４−２ 所定形状の貴石、２４−３…小宝石、２５…凹所、２６…保持枠、３１…爪止め。
【図１】
2010012225.tif 000003
【図２】
2010012225.tif 000004
【図３】
2010012225.tif 000005
【図４】
2010012225.tif 000006
【図５】
2010012225.tif 000007
【図６】
2010012225.tif 000008